(57)【特許請求の範囲】
【請求項１】
家屋の外壁の開口部の屋外側において開口部の上縁部及び下縁部に沿って複数の走行レールを外壁の屋外側に敷設し、走行レールの端部を開口部の側端部より離れる方向に外壁に沿って延出させて収納用レールを一連に形成し、サッシ戸枠にガラス板のような透光板を嵌めた透光引き戸を走行レールに走行自在に建て込み、透光引き戸を開口部が閉じられるように引き出すと共に隣接する透光引き戸の端部を召し合わせて複数の透光引き戸により開口部を閉じる状態と、透光引き戸を収納用レールに移動させて収納して開口部を開く状態とに切替え自在に構成し、開口部を閉じる状態では最も屋外側の透光引き戸が収納用レールとは反対側の戸当たり枠に当接すると共に最も屋内側の透光引き戸が最も収納用レール側に位置するようにしてあり、かつ、最も屋内側の透光引き戸を戸当たり枠側に移動自在に構成するとともに、最も屋内側の透光引き戸の屋外側に位置する透光引き戸に、最も屋内側の透光引き戸を開放する位置を位置決めするクッションゴムを取り付け、閉じ状態における最も屋内側の透光引き戸の走行をロックするロック手段及び屋外側からの雨水などの侵入を防止する水密・気密手段を開口部に付設した窓枠の開口縦枠部と最も屋内側の透光引き戸との間に設け、更に、屋外側の透光引き戸と屋内側の透光引き戸との間にも屋内外の透光引き戸をロックするロック手段を設けて成ることを特徴とする窓装置。
【請求項２】
閉じ状態の透光引き戸の更に屋外側に開口部を開閉するシャッターを縦レール枠に昇降自在に設け、最も屋内側の透光引き戸の収納用レール側の縦枠に上記閉じ状態において縦レール枠に当接する遮蔽用突出部を設けて成ることを特徴とする請求項１記載の窓装置。
【請求項３】
遮蔽用突出部とシャッターの縦レール枠との間に水密及び気密を図る手段を設けて成ることを特徴とする請求項２記載の窓装置。
【発明の詳細な説明】
【０００１】
【発明の属する技術分野】
本発明は、窓装置に関し、詳しくは、全開状態において開口部に透光引き戸が全くなくなるようにして眺望を高め、それでいて、透光引き戸を揃えることができて使いやすく、かつ、閉じ状態におけるロック機能及び水密・気密性を充分なものにしようとする技術に係るものである。
【０００２】
【従来の技術】
従来の窓装置は、建物の外壁の開口部に開口部と同じ大きさの窓枠を取付け、この窓枠の上下の枠部に複数列の走行レールを設け、各走行レールにそれぞれサッシ戸枠にガラス板のような透光板を取付けた透光引き戸をそれぞれ走行自在に建込み、複数の透光引き戸同士を屋内外方向に重ねることで開口部の一部を開（半開）とし、透光引き戸の端部同士が屋内外方向に重ねて召し合わせることで複数の透光引き戸により開口部を閉（全閉）じるようにしている。
【０００３】
上記のような従来例にあっては、開口部を開とした状態でも開口部に複数の透光引き戸が屋内外方向に重なった状態で残り、開口部の開口量が少なくなるのであり、開とした状態における開放感が乏しく、通気量も少なく、また、室内からの視野も狭くなり、更に、開口量が少ないので大きな荷物の出し入れに透光引き戸が邪魔になるなどという問題があった。
【０００４】
【発明が解決しようとする課題】
本発明は上記の点に鑑みてなされたものであり、全開状態において開口部に透光引き戸が全くなくなるようにして室内の開放感、通気量、眺望を高めるとともに大きな荷物の出し入れに当たっても邪魔されることがなく、それでいて、最も屋内側の透光引き戸を収納用レールとは反対側の端部にまで移動ができて使いやすく、かつ、閉じ状態におけるロック機能、水密・気密性及び遮蔽性を充分なものにできる窓装置を提供することを課題とするものである。
【０００５】
【課題を解決するための手段】
請求項１の発明においては、家屋の外壁１の開口部２の屋外側において開口部２の上縁部及び下縁部に沿って複数の走行レール３、３を外壁１の屋外側に敷設し、走行レール３の端部を開口部２の側端部より離れる方向に外壁１に沿って延出させて収納用レール４を一連に形成し、サッシ戸枠５にガラス板のような透光板６を嵌めた透光引き戸７を走行レール３に走行自在に建て込み、透光引き戸７を開口部２が閉じられるように引き出すと共に隣接する透光引き戸７の端部を召し合わせて複数の透光引き戸７により開口部２を閉じる状態と、透光引き戸７を収納用レール４に移動させて収納して開口部２を開く状態とに切替え自在に構成し、開口部２を閉じる状態では最も屋外側の透光引き戸７が収納用レール４とは反対側の戸当たり枠２０に当接すると共に最も屋内側の透光引き戸７が最も収納用レール４側に位置するようにしてあり、かつ、最も屋内側の透光引き戸７を戸当たり枠２０側に移動自在に構成するとともに、最も屋内側の透光引き戸７の屋外側に位置する透光引き戸７に、最も屋内側の透光引き戸７を開放する位置を位置決めするクッションゴム４８を取り付け、閉じ状態における最も屋内側の透光引き戸７の走行をロックするロック手段４１及び屋外側からの雨水などの侵入を防止する水密・気密手段４２を開口部２に付設した窓枠１７の開口縦枠部１３と最も屋内側の透光引き戸７との間に設け、更に、屋外側の透光引き戸７と屋内側の透光引き戸７との間にも屋内外の透光引き戸７、７をロックするロック手段４１を設けていることを特徴とするものである。
【０００６】
このような構成によれば、収納用レール４から透光引き戸７を引き出して複数の透光引き戸７の端部を召し合わせることで、複数の透光引き戸７により開口部２を閉じることができながら、複数の透光引き戸７を各走行レール３の端部の収納用レール４へと走行させて収納することができ、開口部２を全開することができることから、室内の開放感、通気量、眺望を高めるとともに大きな荷物の出し入れに当たっても透光引き戸７に邪魔されることがない。
【０００７】
特に、開口部２を閉じる状態では最も屋外側の透光引き戸７が収納用レール４とは反対側の戸当たり枠２０に当接すると共に最も屋内側の透光引き戸７が最も収納用レール４側に位置するようにしてあることから、最も屋外側の透光引き戸７は戸当たり枠２０に当接して水密・気密を図るのであり、透光引き戸７、７間においては召し合わせによって水密・気密を図るのであり、最も屋内側の透光引き戸７は開口部２の窓枠１７に近接して水密・気密を図りやすく、窓装置Ａにおける水密・気密を容易に図ることができるのである。しかも、最も屋内側の透光引き戸７を戸当たり枠２０側に移動自在とし、開放する位置をクッションゴム４８により位置決めされるように構成しているから、最も屋内側の透光引き戸７を戸当たり枠２０側に退避させることができ、室内からのごみの掃き出しや通行も容易になって使いやすい。
【０００８】
更に、請求項１においては、閉じ状態における最も屋内側の透光引き戸７の走行をロックするロック手段４１及び屋外側からの雨水などの侵入を防止する水密・気密手段４２を開口部２に付設した窓枠１７の開口縦枠部１３と最も屋内側の透光引き戸７との間に設けていることを特徴とするものである。このような構成によれば、閉じ状態における最も屋内側の透光引き戸７の走行ロック及び水密・気密を容易に図ることができる。
【０００９】
請求項２においては、閉じ状態の透光引き戸７の更に屋外側に開口部２を開閉するシャッター９を縦レール枠１０、１０に昇降自在に設け、最も屋内側の透光引き戸７の収納用レール４側の縦枠１２に上記閉じ状態において縦レール枠１０に当接する遮蔽用突出部４６を設けていることを特徴とするものである。このような構成によれば、シャッター９によって防犯を図りながら、透光引き戸７の閉じ状態においては、シャッター９の縦レール枠１０に最も屋内側の透光引き戸７の遮蔽用突出部４６が当接することから、収納用レール４側におけるシャッター９の縦レール枠１０との間の隙間を遮蔽することができ、日光が室内に入らないようにできる。反対側には戸当たり枠２０が存在していて日光が入ることがない。
【００１０】
請求項３においては、遮蔽用突出部４６とシャッター９の縦レール枠１０との間に水密及び気密を図る手段４７を設けていることを特徴とするものである。このような構成によれば、収納用レール４側におけるシャッター９の縦レール枠１０との間の水密・気密を図ることができる。
【００１１】
【発明の実施の形態】
以下、本発明の実施の一形態を図面に基づいて説明する。図１は窓装置の横断面図である。図２は縦断面図である。図３は開口部を全開とした斜視図である。
【００１２】
建物の外壁１には開口部２が形成してあり、外壁１には窓枠１７が取付けてある。この窓枠１７は全部又は一部が外壁１の外面側に位置するように取付けてあり、窓枠１７の外壁１の外面側に位置する部分は、大別して開口部２に対応した開口部側窓枠部１８と開口部２の一側端部よりも側方にずれ且つ外壁１の外面に沿った戸袋側枠部１９とに区分けされる。
【００１３】
窓枠１７は戸当たり枠２０と対向する側枠２１と上枠２２、下枠２３を枠組みして矩形に構成してある。上枠２２と下枠２３とにはそれぞれ開口部２の上縁部及び下縁部に沿った複数列の走行レール３が設けてあり、各走行レール３の戸当たり枠２０とは反対側の端部はそれぞれ開口部２の側端部より離れる方向に外壁１に沿って延出されていて各延出部分がそれぞれ収納用レール４となっている。このように、収納用レール４は上枠２２、下枠２３の戸袋側枠部１５に設けてある。更に窓枠１７には上記走行レール３よりも室内側において上枠２２、下枠２３間に開口縦枠部１３を設けている。また、上枠２２、下枠２３の開口部２に対応する部分は室内側に向けて取付け部２２ａ、２３ａが突設してあり、この取付け部２２ａ、２３ａを開口部２の上下に取付けている。また、窓枠１７の他方の側枠２１はビス止めにて外壁１に取付けてある。
【００１４】
端部が収納用レール４となった二列の走行レール３にはそれぞれサッシ戸枠５にガラス板のような透光板６を取付けた透光引き戸７をそれぞれ走行自在に建て込んである。
【００１５】
しかして、図１に示すように、開口部２を閉じる状態では屋外側の透光引き戸７の戸先が戸当たり枠２０に当接し、屋内側の透光引き戸７が収納用レール４側に位置するようにしてあり、しかも、屋内側の透光引き戸７を戸当たり枠２０側に移動自在に構成している。このように屋内側の透光引き戸７を戸当たり枠２０側に移動させる場合、屋内側の透光引き戸７は屋外側の透光引き戸７のサッシ戸枠５に取付けたクッションゴム４８に当接して屋内側の透光引き戸７を開放する位置を位置決めすることができるようになっている。
【００１６】
図４及び図６に示すように、収納用レール４側の開口縦枠部１３にはクレセント４９が軸の廻りに回転操作自在に取付けられ、屋内側の透光引き戸７のサッシ戸枠５にはクレセント受け５０が取付けられて、クレセント４９の爪４９ａが受孔５０ａに係入されて屋内側の透光引き戸７を開口縦枠部１３側に引き寄せてロックするロック手段４１を構成している。又、図５に示すように、屋外側の透光引き戸７と屋内側の透光引き戸７との間にも同様にクレセント４９及びクレセント受け５０が取付けられて屋内外の透光引き戸７、７をロックできるようにしている。
【００１７】
しかして、透光引き戸７、７の閉じ状態においては、屋外側の透光引き戸７の戸先が戸当たり枠２０に当接し、屋内外の透光引き戸７、７がクレセント４９及びクレセント受け５０にて連結され、屋内側の透光引き戸７と開口縦枠部１３との間で同様にクレセント４９とクレセント受け５０によって連結されて屋内側の透光引き戸７がロックされ、二枚の透光引き戸７、７がロックされるのである。
【００１８】
この場合、図４に示すように、開口縦枠部１３には水密・気密材５１が取付けられ、屋内側の透光引き戸７のサッシ戸枠５の縦枠１２が水密・気密材５１に圧接されて水密・気密を図るようにしている。水密・気密材５１にはヒレ片５１ａを形成している。このような水密・気密手段４２及びロック手段４１の構成は種々変更することができる。
【００１９】
このように、二枚の透光引き戸７を開口部２が閉じられるように引き出すと共に隣接する透光引き戸７の端部を召し合わせて二枚の透光引き戸７、７により開口部２を閉じる状態と、透光引き戸７を収納用レール４に移動させて収納して開口部２を開く状態とに切替え自在に構成していることから、収納用レール４、４から透光引き戸７、７を引き出して複数の透光引き戸７、７の端部を召し合わせてロックすることで二枚の透光引き戸７、７により開口部２を閉じることができるのである。この場合、屋内側の透光引き戸７を戸当たり枠２０側に移動自在に構成していることから、屋内側の透光引き戸７を戸当たり枠２０側に退避させることができ、室内からのごみの掃き出しや通行も容易になって使いやすくなるものである。
【００２０】
又、二枚の透光引き戸７、７を各走行レール３の端部の収納用レール４へと走行させて収納することができるのであり、開口部２を全開することができるのであり、室内の開放感、通気量、眺望を高めるとともに大きな荷物の出し入れに当たっても透光引き戸７に邪魔されることなく出し入れできるものである。
【００２１】
しかも、閉じ状態における屋内側の透光引き戸７の走行をロックするロック手段４１及び収納用レール４側の屋外側からの雨水などの侵入を防止する水密・気密手段４２を窓枠１７の開口縦枠部１３と屋内側の透光引き戸７の縦枠１２との間に設けていることから、閉じ状態における屋内側の透光引き戸７の走行ロック及び水密・気密を確実に図ることができるのである。
【００２２】
更に、図１、図２に示すように、窓枠１７の開口部側窓枠部１８の屋外側の両側にはシャッター９が昇降ガイドされる縦レール枠１０、１０が取付られている。また、両縦レール枠１０、１０の下端部間に架設したシャッター下枠３５が窓枠１７の下枠２３に取付けてある。更に、シャッター９の上部にはシャッター収納ボックス３６が設けてあり、このシャッター収納ボックス３６は図２に示すように窓枠１７の上方位置において外壁１の外面に取付けてある。シャッター収納ボックス３６にはシャッター９を巻き取り収納してあり、このシャッター収納ボックス３６内に巻き取り収納したシャッター９をシャッター収納ボックス３６の出し入れ口から両縦レール枠１０に沿って引き下ろすことで、建物の開口部２の正面をシャッタ１６で閉じることができるようになっている。
【００２３】
図１及び図４に示すように、屋内側の透光引き戸７の収納用レール４側の縦枠１２に閉じ状態において縦レール枠１０に当接する中空枠状の遮蔽用突出部４６を形成している。
【００２４】
しかして、シャッター９によって防犯を図りながら、透光引き戸７、７の閉じ状態においては、シャッター９の縦レール枠１０に最も屋内側の透光引き戸７の遮蔽用突出部４６が当接することから、収納用レール４側におけるシャッター９との間の隙間を遮蔽することができ、日光が室内に入らないようにできる。
【００２５】
更に、遮蔽用突出部４６とシャッター９の縦レール枠１０との間に水密及び気密を図る手段４７を設けている。水密及び気密を図る手段４７は、上記ヒレ片５１ａを備えた水密・気密材５１を使用するが他の変更することができる。
【００２６】
しかして、収納用レール４側におけるシャッター９との間の水密・気密をシャッター９の縦レール枠１０を有効に利用することで図ることができる。
【００２７】
尚、添付図面に示す実施の形態においては２重ガラスの例を示しているが、１重であってもよいものである。透光板６としては透明、半透明、不透明等のもので透光性を有していればよい。
【００２８】
又、図１、図２に示す実施の形態においては屋内外方向に２列に並設した２本の走行レール３を敷設し、各走行レール３に１枚ずつの透光引き戸７を走行自在とした例が示してあるが、走行レール３の数、透光引き戸７の数は限定されるものではない。
【００２９】
【発明の効果】
請求項１の発明においては、家屋の外壁の開口部の屋外側において開口部の上縁部及び下縁部に沿って複数の走行レールを外壁の屋外側に敷設し、走行レールの端部を開口部の側端部より離れる方向に延出させて収納用レールを一連に形成し、サッシ戸枠にガラス板のような透光板を嵌めた透光引き戸を走行レールに走行自在に建て込み、透光引き戸を開口部が閉じられるように引き出すと共に隣接する透光引き戸の端部を召し合わせて複数の透光引き戸により開口部を閉じる状態と、透光引き戸を収納用レールに移動させて収納して開口部を開く状態とに切替え自在に構成しているから、収納用レールから透光引き戸を引き出して複数の透光引き戸の端部を召し合わせることで、複数の透光引き戸により開口部を閉じることができながら、複数の透光引き戸を各走行レールの端部の収納用レールへと走行させて収納することができ、開口部を全開することができることから、室内の開放感、通気量、眺望を高めるとともに大きな荷物の出し入れに当たっても透光引き戸に邪魔されることなく出し入れできるという利点がある。
【００３０】
特に、開口部を閉じる状態では最も屋外側の透光引き戸が収納用レールとは反対側の戸当たり枠に当接すると共に最も屋内側の透光引き戸が最も収納用レール側に位置するようにしてあることから、最も屋外側の透光引き戸は戸当たり枠に当接して水密・気密を図るのであり、透光引き戸間においては召し合わせによって水密・気密を図るのであり、最も屋内側の透光引き戸は開口部の窓枠に近接して水密・気密を図りやすく、窓装置における水密・気密を容易に図ることができるのであり、しかも、最も屋内側の透光引き戸を戸当たり枠側に移動自在とし、開放する位置をクッションゴムにより位置決めされるように構成しているから、最も屋内側の透光引き戸を戸当たり枠側に退避させることができ、室内からのごみの掃き出しや通行も容易になって使いやすいという利点がある。
【００３１】
更に、請求項１においては、閉じ状態における最も屋内側の透光引き戸の走行をロックするロック手段及び屋外側からの雨水などの侵入を防止する水密・気密手段を開口部に付設した窓枠の開口縦枠部と最も屋内側の透光引き戸との間に設けているから、閉じ状態における最も屋内側の透光引き戸の走行ロック及び水密・気密を容易に図ることができるという利点がある。
【００３２】
請求項２においては、請求項１の効果に加えて、閉じ状態の透光引き戸の更に屋外側に開口部を開閉するシャッターを縦レール枠に昇降自在に設け、最も屋内側の透光引き戸の収納用レール側の縦枠に上記閉じ状態において縦レール枠に当接する遮蔽用突出部を設けているから、シャッターによって防犯を図りながら、透光引き戸の閉じ状態においては、シャッターの縦レール枠に最も屋内側の透光引き戸の遮蔽用突出部が当接することから、収納用レール側におけるシャッターの縦レール枠との間の隙間を遮蔽することができ、日光が室内に入らないようにできるという利点がある。
【００３３】
請求項３においては、請求項２の効果に加えて、遮蔽用突出部とシャッターの縦レール枠との間に水密及び気密を図る手段を設けているから、収納用レール側におけるシャッターの縦レール枠との間の水密・気密を図ることができるという利点がある。
【図面の簡単な説明】
【図１】本発明の実施の一形態の窓装置の横断面図である。
【図２】同上の縦断面図である。
【図３】同上の透光引き戸を収納用レールに移動して開口部を全開とした斜視図である。
【図４】同上の屋内側の透光引き戸のロック手段及び水密・気密手段を示す横断面図である。
【図５】同上の屋内外の透光引き戸の召し合わせ部を示す横断面図である。
【図６】（ａ）（ｂ）はロック手段の説明図である。
【符号の説明】
１    外壁
２    開口部
３    走行レール
４    収納用レール
５    サッシ戸枠
６    透光板
７    透光引き戸
２０  戸当たり枠
Ａ    窓装置
【図１】
0003550376.tif 000002
【図２】
0003550376.tif 000003
【図３】
0003550376.tif 000004
【図４】
0003550376.tif 000005
【図５】
0003550376.tif 000006
【図６】
0003550376.tif 000007